(57)【要約】【課題】ベルトフックを取り付けたままバッテリを容易に交換することができ、しかも組み立て工数の小さい携帯無線機のベルトフック取付構造を提供する。【解決手段】無線機本体の背面下部にバッテリ４の下端を回動自在に係止しバッテリの上部を無線機本体にロックしてバッテリ４を取り付けると共にベルトフック２の基端部を無線機本体背面上部に取り付ける携帯無線機のベルトフック取付構造において、ベルトフックを無線機本体に回動自在に支持し、スライドロック部材３を無線機本体に上下方向に摺動自在に取付け、スライドロック部材３を下側に移動させたときに前記バッテリ４およびベルトフック２をロックしてこれらの回動を規制するように構成した。【選択図】        図２
2004349761.tif 000002
【特許請求の範囲】
【請求項１】
無線機本体の背面下部にバッテリの下端を回動自在に係止しバッテリの上部を無線機本体にロックしてバッテリを取り付けると共にベルトフックの基端部を無線機本体背面上部に取り付ける携帯無線機のベルトフック取付構造において、ベルトフックを無線機本体に回動自在に支持し、スライドロック部材を無線機本体に上下方向に摺動自在に取付け、前記スライドロック部材を下側に移動させたときに前記バッテリおよびベルトフックをロックしてこれらの回動を規制するように構成した携帯無線機のベルトフック取付構造。
【請求項２】
前記スライドロック部材を上側に移動させたときに先ずベルトフックのロックが解除され、次にバッテリのロックが解除されるように構成した請求項１のベルトフック取付構造。
【発明の詳細な説明】
【０００１】
【発明の属する技術分野】
この発明は携帯無線機のベルトフック取付構造に係わり、特に、バッテリが無線機の背面に取り付けられる携帯無線機のベルトフック取付構造に関する。
【０００２】
【従来の技術】
従来の無線機のベルトフックおよびバッテリの取付構造の例を図４および図５により説明する。図４（ａ）は従来の無線機にベルトフックおよびバッテリが取り付けられた状態を前から見た斜視図、図４（ｂ）は同無線機にベルトフックおよびバッテリが取り付けられた状態を後ろから見た斜視図である。
【０００３】
図に示すようにベルトフック５は無線機本体１の背面にねじ６、６により締着される。バッテリ４はその下端部を無線機本体１に係止させた状態で上端部を押し込むことにより無線機本体１にロックされる。なお、ベルトフック５はバッテリ４ではなく、無線機本体１に取り付けた方が安定する。また、バッテリ４の下端部には充電用端子が設けられるので上端部をロックさせた方が機構が簡単になる。
【０００４】
この無線機にバッテリ４を取り付けるときの動作を図５により説明する。先ず図５（ａ）に示すようにバッテリ４を上端部からベルトフック５の下側に差し込む。その後、図５（ｂ）に示すように、ベルトフック５を弾力に抗して押上げながらバッテリ４の下端部が無線機本体１の下端位置となるまでバッテリ４を押し込む。
【０００５】
この状態で図５（ｃ）に示すように、バッテリ４の下端部を無線機本体１の下端位置に係止させる。そして、バッテリ４の上端部を図５（ｄ）に示すように、無線機本体１に密着するように押し込むとバッテリ４の上端部が無線機本体１にロックされてバッテリ４が無線機本体１に取り付けられた状態となる。
【０００６】
上記した携帯無線機のベルトフック取付構造ではベルトフックが無線機本体に取り付けられたままバッテリを交換する場合はベルトフックを弾力に抗して押上げながらバッテリを取り外したり、取り付けたりしなければならず、バッテリを交換しにくいという問題があった。また、ベルトフックはねじにより無線機本体に締着するために組み立て工数が多くなるという問題があった。
【０００７】
特開２００２−３５３８４０号公報に提案された携帯無線機のベルトフック取付構造では、ベルトフックは無線機本体に締着された取付具に回動自在に支持されてばねで無線機本体側に付勢されている。しかしながらこのベルトフック取付構造もバッテリを交換する場合はベルトフックをばねの弾力に抗して押上げながらバッテリを取り外したり、取り付けたりしなければならず、バッテリを交換しにくいという問題があった。
【０００８】
【特許文献１】
特開２００２−３５３８４０号公報（第２頁、図１、図２）
【０００９】
【発明が解決しようとする課題】
この発明は上記した点に鑑みてなされたものであって、その目的とするところは、ベルトフックを取り付けたままバッテリを容易に交換することができ、しかも組み立て工数の小さい携帯無線機のベルトフック取付構造を提供することにある。
【００１０】
【課題を解決するための手段】
この発明の携帯無線機のベルトフック取付構造は、無線機本体の背面下部にバッテリの下端を回動自在に係止しバッテリの上部を無線機本体にロックしてバッテリを取り付けると共にベルトフックの基端部を無線機本体背面上部に取り付ける携帯無線機のベルトフック取付構造において、ベルトフックを無線機本体に回動自在に支持し、スライドロック部材を無線機本体に上下方向に摺動自在に取付け、前記スライドロック部材を下側に移動させたときに前記バッテリおよびベルトフックをロックしてこれらの回動を規制するように構成したものである。
【００１１】
また、前記携帯無線機のベルトフック取付構造において、前記スライドロック部材を上側に移動させたときに先ずベルトフックのロックが解除され、次にバッテリのロックが解除されるように構成したものである。
【００１２】
【発明の実施の形態】
この発明の実施例である携帯無線機のベルトフック取付構造を図面に基づいて説明する。図１はこの発明の実施例である携帯無線機のベルトフック取付構造を示す平面図、図２は同ベルトフック取付構造に用いられる部材を示す斜視図である。図１に示す無線機本体１にはスライドロック部材３が摺動自在に取り付けられており、さらに、ベルトフック２の軸２ａが無線機本体１の凹部１ａ、１ａと嵌合してベルトフック２が無線機本体１に回動自在に取り付けられている。
【００１３】
無線機本体１のベルトフック２が取り付けられた側は背面であり、この背面に図２に詳しく示すバッテリ４が嵌着される。すなわち、バッテリ４の下端部に設けられた切欠き４ｂ、４ｂが無線機本体１の凸部１ｂ、１ｂと係合される。
【００１４】
このように、ベルトフック２およびバッテリ４は無線機本体１に回動自在に取り付けられているが、これらはスライドロック部材３によりロックされて回動が規制される。スライドロック部材３のつまみ３ａは無線機本体１の表面に現れており、スライドロック部材３をつまみ３ａを操作して図１の矢印方向に移動させることができる。
【００１５】
スライドロック部材３はばねにより図１における右方向に付勢してもよく、移動した位置に摩擦力により保持されるようにしてもよい。図２に示すように、スライドロック部材３にはベルトフックロック爪３ｂ、３ｂおよびバッテリロック爪３ｃ、３ｃが設けられており、これらは夫々ベルトフック２の凹部２ｂ、２ｂおよびバッテリ４の凹部４ａ、４ａと嵌合する。
【００１６】
スライドロック部材３が図１における右方向移動端にあるときは、ベルトフック２およびバッテリ４の双方をロックしているが、スライドロック部材３を左方向に移動させると、先ず、ベルトフックロック爪３ｂ、３ｂがベルトフック２の凹部２ｂ、２ｂから外れベルトフック２のロックが解除される。さらに、スライドロック部材３を左方向に移動させると、バッテリロック爪３ｃ、３ｃがバッテリ４の凹部４ａ、４ａから外れバッテリ４のロックが解除されせる。
【００１７】
図３（ａ）はベルトフック２およびバッテリ４の双方がロックされた状態を示している。この状態でベルトフック２をベルトに掛けることにより無線機本体１を身体に取り付けた状態とすることができる。
【００１８】
図３（ｂ）はスライドロック部材３のつまみ３ａを左側に移動させてベルトフック２のロックを解除させてベルトフック２をバッテリ４から離れる方向に回動させた状態を示している。このときベルトフック２はばね等の付勢力を受けておらず、回動された位置に自然に保たれる。
【００１９】
図３（ｃ）はスライドロック部材３のつまみ３ａをさらに左側に移動させてバッテリ４のロックを解除させてバッテリ４を無線機本体１から離れる方向に回動させた状態を示している。この状態でバッテリ４を無線機本体１から外すことができる。
【００２０】
また、ベルトフック２を回動させた状態でバッテリ４を取り付けることができる。このように、バッテリ４を無線機本体１に固定した状態でベルトフック２のみを回動できるので無線機本体１を身体に取り付け易くすることができる。
【００２１】
実施例は以上のように構成されているが発明はこれに限られず、例えば、ベルトフックとバッテリのロックを同時に解除するようにしてもよい。
【００２２】
【発明の効果】
この発明の携帯無線機のベルトフック取付構造によれば、バッテリを交換するとき、ベルトフックをばねの弾力に抗して押し上げる必要がなく、容易にバッテリを交換することができる。
【００２３】
また、ベルトフックがねじで締め付けられることがないので、組立て工数が削減される。
【図面の簡単な説明】
【図１】この発明の実施例である携帯無線機のベルトフック取付構造を示す平面図である。
【図２】同ベルトフック取付構造に用いられる部材を示す斜視図である。
【図３】同ベルトフック取付構造の作用を示す側面図である。
【図４】従来の携帯無線機のベルトフック取付構造の例を示す斜視図である。
【図５】同ベルトフック取付構造の作用を示す側面図である。
【符号の説明】
１  無線機本体、１ａ  凹部、１ｂ  凸部
２  ベルトフック、２ａ  軸、２ｂ  凹部
３  スライドロック部材、３ａ  つまみ、３ｂ  ベルトフックロック爪
３ｃ  バッテリロック爪
４  バッテリ、４ａ  凹部、４ｂ  切欠き
５  ベルトフック
６  ねじ
【図１】
2004349761.tif 000003
【図２】
2004349761.tif 000004
【図３】
2004349761.tif 000005
【図４】
2004349761.tif 000006
【図５】
2004349761.tif 000007